(57)【特許請求の範囲】
【請求項１】
撮影される被写界の光学像を電子像信号に変換して画像を生成する撮像手段と、
前記撮像手段によって生成された画像を記憶媒体に記憶させる記憶制御手段と、
前記記憶媒体に記憶される画像のうち印刷対象の画像を選択するための操作部と、
前記操作部で選択された画像を表示する表示手段と、
印刷機能を有する印刷装置と通信して記録用紙の縦横比に関わる情報を取得して、前記表示手段に表示される画像に対して、前記画像の縦横比と、前記印刷装置から取得した記録用紙の縦横比の相違により生じる、前記記録用紙上に印刷されない非印刷領域を認識可能に前記表示手段に表示されている画像の中に表示させる非印刷領域表示手段と、
前記操作部への操作により、前記非印刷領域表示手段によって表示された非印刷領域を、前記記録用紙上に印刷されない領域の生じている方向に移動させる非印刷領域移動手段とを具備することを特徴とする撮像装置。
【請求項２】
前記非印刷領域が画像の上下に生じる場合と、画像の左右に生じる場合とを自動的に判別する非印刷領域判別手段を具備し、
前記非印刷領域判別手段が判別した方向にのみ前記非印刷領域を移動可能としたことを特徴とする請求項１に記載の撮像装置。
【請求項３】
前記撮像手段によって撮像された画像を前記記録用紙上に視認可能に印刷して出力する印刷手段を有し、
前記印刷手段は、複数の加熱素子がライン状に並んだ加熱手段を有し、
前記加熱手段が、インクが塗布されている色インク層を加熱することにより、前記色インクが前記記録用紙に転写されて印刷される熱転写式印刷手段であることを特徴とする請求項１に記載の撮像装置。
【請求項４】
前記撮像手段によって撮像された画像を前記記録用紙上に視認可能に印刷して出力する印刷手段を有し、
前記印刷手段は、前記記録用紙上に記録液体のドットを吐出して文字または画像を前記記録用紙上に記録するインクジェットプリンタであることを特徴とする請求項１に記載の撮像装置。
【請求項５】
前記非印刷領域判別手段の判別結果により、前記操作部に対する同一の操作に対して、前記非印刷領域の移動方向が異なることを特徴とする請求項２に記載の撮像装置。
【請求項６】
請求項１または２に記載の撮像装置と、前記撮像装置によって撮像された画像を記録用紙上に視認可能に印刷して出力する印刷装置とを有することを特徴とする印刷システム。
【請求項７】
撮影される被写界の光学像を電子像信号に変換して画像を生成する撮像処理と、
前記撮像処理によって生成された画像を記憶媒体に記憶させる記憶制御処理と、
前記記憶媒体に記憶される画像のうち印刷対象の画像を選択するための操作部で選択された画像を表示手段に表示する表示処理と、
印刷機能を有する印刷装置と通信して記録用紙の縦横比に関わる情報を取得して、前記表示手段に表示される画像に対して、前記画像の縦横比と、前記印刷装置から取得した記録用紙の縦横比の相違により生じる、前記記録用紙上に印刷されない非印刷領域を認識可能に前記表示手段に表示されている画像の中に表示させる非印刷領域表示処理と、
前記操作部への操作により、前記非印刷領域表示処理によって表示された非印刷領域を、前記記録用紙上に印刷されない領域の生じている方向に移動させる非印刷領域移動処理とを撮像装置側で行うことを特徴とする画像処理方法。
【請求項８】
前記非印刷領域が画像の上下に生じる場合と、画像の左右に生じる場合とを自動的に判別する非印刷領域判別処理を行い、
前記非印刷領域判別処理によって判別した方向にのみ前記非印刷領域を移動可能としたことを特徴とする請求項７に記載の画像処理方法。
【請求項９】
請求項１〜６の何れか１項に記載の各手段としてコンピュータを機能させるためのプログラムを記録したことを特徴とするコンピュータ読み取り可能な記憶媒体。
【請求項１０】
請求項７または８に記載の各方法をコンピュータに実行させるためのプログラムを記録したことを特徴とするコンピュータ読み取り可能な記憶媒体。
【請求項１１】
請求項７または８に記載の各方法をコンピュータに実行させることを特徴とするコンピュータプログラム。
【発明の詳細な説明】
【０００１】
【発明の属する技術分野】
本発明は撮像装置、印刷システム、画像処理方法、コンピュータ読み取り可能な記憶媒体及びコンピュータプログラムに関し、特に、静止画を記録するスチルカメラやビデオカメラなどによって撮像された電子情報を、コンピュータもしくは記録媒体を介して記録媒体にプリント出力するのに用いて好適なものである。
【０００２】
【従来の技術】
従来から印画用紙に感熱型の用紙を用い、主走査方向に配列された複数個の発熱体を選択的に駆動するとともに、記録用紙を副走査方向に搬送することで、前記記録用紙にドットライン状に印画を行うライン熱転写方式のプリンタがある。
【０００３】
近年、入力側としてのデジタルカメラやデジタルビデオカメラ、またはスキャナなどの画像を扱う入力機器の進歩に伴い、プリント手段として、熱転写方式のプリンタ装置も注目されている。
【０００４】
それは、インクジェットプリンタが、液滴を飛ばすか飛ばさないか、という２値の選択しかないために、小さな液滴を記録用紙へ着弾させて、誤差拡散等の手法でみかけの解像度と階調性を得ようとするのに対して、熱転写方式のプリンタの場合には、一つの画素において、制御可能な熱の値を容易に変更できるため、一つの画素に対する階調性が多く取る事が可能になるので、インクジェットプリンタに比べて滑らかで高画質な画像を得ることができるという点が上げられる。
【０００５】
また、サーマルヘッドの性能や記録用紙材料の性能も向上したために、仕上がり品位で銀塩写真にも見劣りしない画像プリントを得る事が可能になっており、近年のデジタルカメラの進歩に歩調を合わせるように特に自然画像用のプリンタとして注目されている。
【０００６】
また一方、インクジェットプリンタも液滴の小ドット化などの技術が進み、より高画質なものも登場している。
【０００７】
そこで、例えば、特開平10-243327号公報に記載されているように、こうしたプリンタ装置とデジタルカメラやデジタルビデオカメラなどの撮影機器とを直接的に接続したり、または特開平9-65182号公報に記載されているように一体的に構成して、撮影された画像情報をコンピュータなどの画像情報を処理する機器を介すことなくプリントするシステムも登場している。
【０００８】
【発明が解決しようとする課題】
しかしながら、前記従来例では、デジタルカメラで撮影された画像をデジタルカメラからダイレクトにプリンタにプリントアウトする場合、余白のない（フチ無し）印刷をしようとすると、印刷記録用紙と画像の縦横比が同じであればよいが、異なっていた場合は画像の一部分を切り捨てて印刷するしかない。
【０００９】
そこで、簡易な方法としては切り捨てる部分を固定にする方法がある。例えば、どの画像も必ず上下が均等に切れるというように決めてしまうことが考えられる。しかし、その場合には画像に関係なく一義的に切り取られてしまうことになるため、本当に印刷したい部分が印刷されないという不具合が生じる可能性があった。
【００１０】
そこで、パソコンの画像処理アプリケーションのように任意の位置及びサイズを指定できるような機能をデジタルカメラ上で実現しようとすると、デジタルカメラが小型であればあるほど操作部材が制限されてしまうため、ユーザーにとって複雑でわかりにくいインターフェースになってしまうという不具合が生じる。従って、従来の装置では使用者にとって使い勝手の良いプリントシステムが提供できていないという問題点があった。
【００１１】
本発明は前述の問題点を考慮してなされたものであり、記録用紙上に印刷されない領域をユーザーが撮像装置側で簡単に指定できるようにすることを目的とするものである。
【００１２】
【課題を解決するための手段】
本発明の撮像装置は、撮影される被写界の光学像を電子像信号に変換して画像を生成する撮像手段と、前記撮像手段によって生成された画像を記憶媒体に記憶させる記憶制御手段と、前記記憶媒体に記憶される画像のうち印刷対象の画像を選択するための操作部と、前記操作部で選択された画像を表示する表示手段と、印刷機能を有する印刷装置と通信して記録用紙の縦横比に関わる情報を取得して、前記表示手段に表示される画像に対して、前記画像の縦横比と、前記印刷装置から取得した記録用紙の縦横比の相違により生じる、前記記録用紙上に印刷されない非印刷領域を認識可能に前記表示手段に表示されている画像の中に表示させる非印刷領域表示手段と、前記操作部への操作により、前記非印刷領域表示手段によって表示された非印刷領域を、前記記録用紙上に印刷されない領域の生じている方向に移動させる非印刷領域移動手段とを具備することを特徴としている。
また、本発明の他の特徴とするところは、前記非印刷領域が画像の上下に生じる場合と、画像の左右に生じる場合とを自動的に判別する非印刷領域判別手段を具備し、前記非印刷領域判別手段が判別した方向にのみ前記非印刷領域を移動可能としたことを特徴としている。
また、本発明のその他の特徴とするところは、前記撮像手段によって撮像された画像を前記記録用紙上に視認可能に印刷して出力する印刷手段を有し、前記印刷手段は、複数の加熱素子がライン状に並んだ加熱手段を有し、前記加熱手段が、インクが塗布されている色インク層を加熱することにより、前記色インクが前記記録用紙に転写されて印刷される熱転写式印刷手段であることを特徴としている。
また、本発明のその他の特徴とするところは、前記撮像手段によって撮像された画像を前記記録用紙上に視認可能に印刷して出力する印刷手段を有し、前記印刷手段は、前記記録用紙上に記録液体のドットを吐出して文字または画像を前記記録用紙上に記録するインクジェットプリンタであることを特徴としている。
また、本発明のその他の特徴とするところは、前記非印刷領域判別手段の判別結果により、前記操作部に対する同一の操作に対して、前記非印刷領域の移動方向が異なることを特徴としている。
【００１３】
本発明の印刷システムは、前記に記載の撮像装置と、前記撮像装置によって撮像された画像を記録記録用紙上に視認可能に印刷して出力する印刷装置とを有することを特徴としている。
【００１４】
本発明の画像処理方法は、撮影される被写界の光学像を電子像信号に変換して画像を生成する撮像処理と、前記撮像処理によって生成された画像を記憶媒体に記憶させる記憶制御処理と、前記記憶媒体に記憶される画像のうち印刷対象の画像を選択するための操作部で選択された画像を表示手段に表示する表示処理と、印刷機能を有する印刷装置と通信して記録用紙の縦横比に関わる情報を取得して、前記表示手段に表示される画像に対して、前記画像の縦横比と、前記印刷装置から取得した記録用紙の縦横比の相違により生じる、前記記録用紙上に印刷されない非印刷領域を認識可能に前記表示手段に表示されている画像の中に表示させる非印刷領域表示処理と、前記操作部への操作により、前記非印刷領域表示処理によって表示された非印刷領域を、前記記録用紙上に印刷されない領域の生じている方向に移動させる非印刷領域移動処理とを撮像装置側で行うことを特徴としている。
また、本発明の他の特徴とするところは、前記非印刷領域が画像の上下に生じる場合と、画像の左右に生じる場合とを自動的に判別する非印刷領域判別処理を行い、前記非印刷領域判別処理によって判別した方向にのみ前記非印刷領域を移動可能としたことを特徴としている。
【００１５】
本発明の記憶媒体は、前記の何れか１項に記載の各手段としてコンピュータを機能させるためのプログラムを記録したことを特徴としている。
また、本発明の他の特徴とするところは、前記の何れか１項に記載の各方法をコンピュータに実行させるためのプログラムを記録したことを特徴としている。
【００１６】
本発明のコンピュータプログラムは、前記の何れか１項に記載の各方法をコンピュータに実行させることを特徴としている。
【００１７】
【発明の実施の形態】
次に、添付図面を参照しながら本発明の撮像装置、印刷システム、画像処理方法、コンピュータ読み取り可能な記憶媒体及びコンピュータプログラムの実施の形態について説明する。
【００１８】
以下、図１〜図４を参照しながら、本実施の形態のプリントシステムについて説明する。本プリントシステムは、プリンタ部に昇華型の熱転写記録方式を採用し、電子的な画像の情報を任意なプリント枚数分プリントアウトすることが出来るものである。このプリントシステムについて手順に従って説明する。
【００１９】
本実施の形態に係わる通常の熱転写記録装置の一実施形態について、以下、図面を参照して具体的に説明する。
図１は、実施形態に係わる記録装置の側面の構成模式図である。まず、記録装置の全体構成について説明する。
【００２０】
装置本体１に記録紙Ｐを積載した記録用紙カセット２から給紙ローラ３で一枚ずつ分離給送する。この際、記録紙Ｐはバネ１９によって付勢された押上げ板２０によって給紙ローラ３に当接している。
【００２１】
そして、給紙ローラ３によって搬送された記録紙Ｐは搬送ローラ対４で挟持搬送されて記録部を往復可能にしている。搬送ローラ対４はピンチローラ４２とグリップローラ４１とで構成されている。
【００２２】
記録部においては、記録紙搬送経路を挟んでプラテンローラ５と記録情報に応じて発熱するサーマルヘッド６とが対向しており、インクカセット７に収納される、熱溶融性または熱昇華性インクを塗布したインク層と印画面を保護するために印画面上にオーバーコートされるオーバーコート層をもつインクシート８をサーマルヘッド６によって記録紙Ｐに押圧するとともに、選択的に加熱することにより、前記記録紙Ｐに所定画像を転写記録し、保護層をオーバーコートする。
【００２３】
前記インクシート８は、記録紙Ｐの印画領域を覆ってそのサイズと略等しいサイズでイエロー(Ｙ)、マゼンタ(Ｍ)、シアン(Ｃ)の各インク層とオーバーコート(ＯＰ)層が並べて設けられたものであり、各層ずつ熱転写しては、記録しＰを記録開始位置Ｐ１に戻し、記録紙上に、順次重ねて転写される。このように、記録紙Ｐは搬送ローラ対４により、各色インク及びオーバーコート層の数だけ往復される。
【００２４】
この際、各インク層の印画後の記録紙Ｐは装置本体１の前方で反転され、記録用紙カセット前方部及び下部のガイド部を介して装置本体１の後方へ導紙される。装置前方で反転されるために印画途中の記録紙Ｐが外部に出ることによるスペースの無駄や意図せずに触ってしまったという様なことが無く、設置場所の省スペース化などを可能にしている。
【００２５】
しかも、記録用紙カセット２の下部を紙ガイドとして直接利用していることによって装置本体１の厚さを薄くすることが可能になっていると共に、記録紙Ｐをインクカセット７と記録用紙カセット２にはさまれた空間を通すことで装置本体１の全高を最小限にとどめることが可能であり小型化を可能にしている。
【００２６】
２３は第１のヘッドカバー、２４は第２のヘッドカバーであり、２５は記録用紙カセット２の記録用紙搬送ガイド部である。装置本体１の前方から反転されてきた記録紙Ｐを装置本体１の後方に反転させるガイド部であり、この記録用紙カセット２に具備することで、装置本体１の全体を小型化するのに大きく寄与している。
【００２７】
また、２６は記録用紙カセット２の上面は印画されて排紙された記録紙Ｐのトレイ部分を兼用しており、これも装置本体１の小型化に寄与している。各インク層の印画終了後に記録紙Ｐは第１の排紙ローラ９−１、第２の排出ローラ９−２へ案内され、装置本体１の後方から前方に向かって排出され記録動作が終了する。
【００２８】
第１の排出ローラ９−１は、記録紙Ｐの排出動作時のみ圧接するように構成され、印画中にはストレスがかからないように構成されている。なお、装置本体１には記録紙Ｐのガイド部１５が構成されていて、記録紙Ｐを導紙している。
【００２９】
１６は搬送路切り替えシートであり、記録紙Ｐが給紙された後は記録紙Ｐは排出側の経路に導紙されるようになっている。また、印画用のサーマルヘッド６は、ヘッドアーム２２に一体的に具備されており、インクカセット７を交換する場合にはインクカセット７の抜き差しに支障ない位置まで退避する。
【００３０】
この退避動作は、インクカセット７の交換は記録用紙カセット２を引き抜くと可能になり、この際、記録用紙カセット２の着脱動作に連動してヘッドアーム２２はカム部によって押さえられている状態から記録用紙カセット２のカム部が退避していくことで上下するように構成されている。
【００３１】
通常の熱転写記録装置では、ＹＭＣ３色を３回面順次で記録するため、各色の記録先端を正確に合致させる制御が必要となる。このためには、図１に示す搬送ローラ対４で記録紙Ｐを離さずしっかり挟持し搬送を行う必要がある。このため、記録紙Ｐの送り方向の端部には記録不可能な余白部が必要となる。
【００３２】
これを考慮して、最終的に、容易に、縁のない印画物を得るために、図３に示すように、記録紙Ｐには、記録開始時搬送ローラ対４でしっかり挟持され記録できない余白部分を後で容易に手で切取り可能なようにミシン目１２が設けられる。本実施の形態は、前記説明したミシン目をもつ記録紙Ｐと熱転写記録装置を用いて実施され、前記の記録紙Ｐに設けられたミシン目領域にはオーバーコートするものとする。
【００３３】
また、左下がり斜線で示す領域は印画の領域であり、ミシン目を含む領域を印画するように制御される。オーバーコートは略印画される領域であり且つ印画される領域よりやや大きく印画される領域を含むように印画するように制御される。
【００３４】
以下に、装置に関わる詳しい説明を更にする。
図１に示す、記録装置において、搬送ローラ対４は、ピンチローラ４２とグリップローラ４１とからなり、このグリップローラ４１は、図示しないステッピングモータの出力軸が減速機構を介してして直結され、このステッピングモータの回転制御により、正逆自在に駆動される。
【００３５】
記録紙Ｐは、搬送ローラ対４によりしっかりと挟持され、往復搬送されるもであるから、記録紙Ｐもまた、ステッピングモータの回転制御により、正確に位置制御され、搬送駆動される。
【００３６】
いま、一例としてサーマルヘッド６による１ライン分の記録ピッチを85μmとし、記録紙Ｐを１ライン分搬送するためのステッピングモータのステップ数を４ステップとするならば、記録紙Ｐは、ステッピングモータを４ステップで回転制御することにより、１ライン（すなわち85μm）搬送することができる。
【００３７】
図３に示した、印画範囲は、記録紙Pの搬送方向において144mmであるとすると、1694ライン印画可能であり、記録紙をこの分搬送するためには、ステッピングモータを6776ステップ分回転させればよい。
【００３８】
図１に示す、記録装置１において、給紙ローラ３から給紙ローラ対４を見て、給紙ローラ対４の近傍の位置に、記録紙先端検出センサ１０が置かれ、これにより、記録紙Ｐの先端を検出し、検出後、搬送ローラ対４で挟持できる範囲で所定ラインを送り停止させる。この位置が前述の記録開始時の位置となる。
【００３９】
ここから、まず、最初のＹイエローからサーマルヘッドを記録情報に応じて発熱駆動し、各色インクの所定画像を記録し、またはオーバーコート層を転写する。１色が終わると、次にこの位置から記録紙を排紙ローラ９のある方向に戻して搬送し、再び所定のライン数を戻し送り、YMC各色及びオーバーコート層転写を４回繰返す。
【００４０】
図１に示す記録装置１において、記録紙先端検出センサ１０と、プラテンローラ５とサーマルヘッド６により記録紙Ｐを押圧する位置の距離は、装置内部品配置を考慮し、記録紙上の距離で２0mmに設定したがこれに限られるものでは無い。この時、図３に示す印画物は、下記のように各色インクを転写記録し、またオーバーコート層を転写することにより得られる。
【００４１】
図２のフローチャートにおいて、色インク転写及びオーバーコートシーケンスを説明する。
最初のステップＳ１において、使用者は不図示のプリントボタンもしくはデジタルカメラやデジタルビデオカメラからの印画指示などによってプリント動作を指示する。
【００４２】
次に、ステップＳ２において、装置本体１装置本体１内部の処理回路１８はプリント指示を実行した機器との通信を開始し、処理回路１８ではプリント指示を実行した機器との間でプリントに必要な諸条件の確認や必要であれば画像情報の印画情報への画像処理を行う。
【００４３】
次に、ステップＳ３において、印画準備が出来たら制御手段（図示せず）は給紙ローラ３に連結されたモータを駆動して記録紙Ｐを給紙開始する。次に、ステップＳ４において、記録紙Ｐの先端を検出した後、ステッピングモータを所定ステップ分回転させて印画を開始する。このとき、印画開始位置は、記録紙先端を基準として、12.465mmとした。
【００４４】
次に、ステップＳ５において、引き続き、ステッピングモータを４ステップ分回転しながら、サーマルヘッドを発熱駆動し１ライン分の印画を行う。実施の形態においては、全部で6776ステップ分（1694ライン分）回転させ、印画を終了する。この時の印画終了位置は、記録紙先端を基準として、156.455mmとなる。
【００４５】
次に、ステップＳ６において、停止にいたるまでの減速のため、ステッピングモータを１０ライン分（４０ステップ分）程回転させ、停止させる。次に、ステップＳ７において、この状態から、ステッピングモータを逆転駆動し、記録紙Ｐを印画時と逆方向に搬送し、所定のステップ数(6776ステップ-減速分)だけ戻して、更に減速のため、所定のライン数の１０ライン分（40ステップ分）程回転させ、停止させる。
【００４６】
次に、ステップＳ８において、前記をＹＭＣ３色分、３回程繰返し、所望の印画像を記録紙Ｐに転写記録したか否かを判断する。この判断の結果、ＹＭＣ３色分を転写されていない場合には、前述したステップＳ４に戻って前述した処理を繰り返し行う。また、ステップＳ８の判断の結果、ＹＭＣ３色分を転写済であった場合には、その後、ステップＳ９に進み、更に一回印画面保護のためのオーバーコート層を転写する。
【００４７】
その後、ステップＳ１０において、ステッピングモータを逆転駆動して、そのまま第２の排出ローラ９−２へ導き、第２の排出ローラ９−２の駆動で記録用紙を排出して一連の動作を終了させる。
【００４８】
また、前記において、制御手段は記録紙Ｐの給紙時に、最初に記録紙先端検出センサ１０で検知した記録紙の先端検出信号をもとに、ステッピングモータのステップ数と記録紙Ｐの搬送時における位置関係をもとに、ステッピングモータの回転駆動のステップ数を、全印画記録時において管理することにより、記録位置管理を行うとした。
【００４９】
しかし、これに限らず、各ＹＭＣ色及びオーバーコート層の転写記録時において、記録紙先端部に検出センサを設けて記録紙の先端検出を行い、その信号を基準として、ステッピングモータの回転駆動のステップ数を管理することにより、記録位置管理を行う構成としても良い。
【００５０】
また、前記において、オーバーコート層の転写は、サーマルヘッドの発熱駆動のON/OFFのみで行うように記述したが、オーバーコートの転写開始時では、徐々に発熱量を増加させるようにし、また、オーバーコートの転写終了時には、徐々に発熱量を減少させることにより得る様な制御を加えることも可能である。
【００５１】
ここで前述のステップＳ２におけるプリント指示を実行する機器と、前記プリンタ装置の通信について更に詳述する。一例として、今プリント指示を実行するのはデジタルカメラＤＣとして説明する。
【００５２】
図４は、デジタルカメラＤＣとプリンタ装置本体１とを接続して印刷システムを構成した例を示す模式図である。
デジタルカメラＤＣは、前記デジタルカメラＤＣ内部のメモリに画像情報が撮影後に保持されているものとする。メモリはコンパクトフラッシュ（R)カードやスマートメデイアといった着脱自由なものでも良い。また、デジタルカメラＤＣのモードを設定して、今任意の画像を再生させるものとする。
【００５３】
画像情報の再生はデジタルカメラＤＣの具備する液晶表示装置によって随時確認できるので、使用者はデジタルカメラDCの操作部を用いて撮影された好きな画像情報をメモリから任意に呼び出す。ここで、ケーブル２７や無線手段によってプリンタ装置本体１と通信可能な状態であると、所定のプリント実行ボタン（図不示）によってデジタルカメラＤＣからプリンタ装置へ必要な情報が通信され、プリンタ装置本体１からプリント出力が得られるというものである。
【００５４】
前記必要な情報としては、デジタルカメラＤＣとのネゴシエーションの情報や、デジタルカメラＤＣからのプリントすべき画像の情報や画像情報に記録時または記録後から付加された情報、等である。
【００５５】
さて、ここで本実施の形態に関わる内容について更に詳細に述べる。
図５は、デジタルカメラＤＣの構成例を示すブロック図である。図５において、５１は撮影に用いられる撮像系、５２は制御用CPU、５３はワークメモリ、５４はJPEG伸張用ハードウェア、５５はUSB-I/F(Universal Sirial Busインターフェース)、５６はコンパクトフラッシュ（R)等の画像記録用メディア、５７は画像を表示する表示器、５８は操作部で、プリンタ装置とはUSB-I/F５５を介して接続される。
【００５６】
さて、ここで実際に画像を印刷する場合について説明する。
印刷すべき画像データはあらかじめ画像記録用メディア５６に収められているものとする。まず、CPU５２は画像記録用メディア５６からユーザーによる操作部５８の操作で選択された印刷対象のJPEG画像を読み出しそれをワークメモリ５３上に展開し、表示器５７へ表示させる。メモリマップを図６に示す。
【００５７】
次に、印刷モードが選択されると、CPU５２は伸張すべきデータのアドレスS#ADR0とサイズ、伸張後のデータの置き場所のアドレスS#ADR1等を、JPEGーH/W５４に指示し、伸張開始を指示する。JPEG伸張用ハードウェア５４はJPEG伸張を行った後、伸張完了をCPU５２に対して通知する。通知を受けたCPU５２は伸張されたデータの縦・横のサイズをJPEG伸張用ハードウェア５４から読み出しそれをワークメモリ上に保存する。
【００５８】
次に、CPU５２は画像縦サイズ及び画像横サイズから縦横比を計算し、それを使用される印刷記録用紙の縦横比と比較する。記録用紙のサイズはプリンタから取得しても良いし、デジタルカメラ側で決定してよも良い。ここで画像縦サイズをGh、画像横サイズをGw、印刷記録用紙縦サイズをPh、印刷記録用紙横サイズをPwとすると、「Gh/Gw＞Ph/Pw」の場合、画像の方が印刷記録用紙よりも縦長であるから、余白のない（フチ無し）印刷をしようとした場合、画像の横方向を印刷記録用紙の幅に合わせて出力することになる。
【００５９】
図６に、画像と印刷領域との関係をカメラの表示器５７上に表示した例を示す。ハッチング部分NPAが印刷されずに切り取られる非印刷領域であり、それ以外のPAが印刷可能領域である。操作部５８としては、十字キーのように上下左右を任意に指定できるものがなくても上下あるいは左右だけを指定できれば操作が可能である。ここでは、左ボタンと右ボタンがあるものとして説明する。
【００６０】
図７に、操作による印刷可能領域の移動の様子を示す。
最初に図７（ｂ）の状態にあったとすると、左ボタン押下により図７（ａ）の状態へ遷移し、また右ボタン押下により図７（ｃ）の状態へと遷移する。左ボタン、右ボタンを１回押下する毎に予め決められた量だけ、印刷可能領域PAが移動する。各ボタンを押しつづけると連続して移動する。
【００６１】
また、「Gh/Gw＜Ph/Pw」の場合、画像の方が印刷記録用紙よりも横長であるから、余白のない（フチ無し）印刷をしようとした場合、画像の縦方向を印刷記録用紙の高さに合わせて出力することになる。
【００６２】
図８に、画像と印刷領域の関係をカメラの表示器５７上に表示した例を示す。上記と同様ハッチング部分NPAが印刷されずに切り取られる非印刷領域であり、それ以外のPAが印刷可能領域である。ここでも、左ボタンと右ボタンがあるものとして説明する。
【００６３】
図９に操作による領域の移動を示す。
最初に図９（ｂ）の状態にあったとすると左ボタン押下により図９（ａ）の状態へ遷移し、また右ボタン押下により図９（ｃ）の状態へと遷移する。ユーザーは、以上の操作により印刷領域を設定後に、印刷開始を指示することにより所望の印刷物を得ることができる。
【００６４】
以上説明してきたように、本実施の形態によれば、余白のない（フチ無し）印刷をしようとした場合、画像の縦横比と記録記録用紙の縦横比の相違により印刷されない領域が生じるが、その領域をカメラ上で表示する手段と、その領域をカメラ側の操作部材により移動する手段を具備したことで、簡単な操作で使用者の意図した印刷領域を選択して印刷することができる。
なお、本発明は縁無し印刷に限らず、縁有り印刷においても余白(縁)を除いた実質の印刷領域の縦横比と画像の縦横比とを比較することにより上記と同様の処理を行うことができる。
【００６５】
（本発明の他の実施の形態）
なお、以上に説明した本実施形態の撮像装置に設けられる各手段は、コンピュータのＣＰＵあるいはＭＰＵ、ＲＡＭ、ＲＯＭなどで構成されるものであり、ＲＡＭやＲＯＭに記憶されたプログラムが動作することによって実現できる。
【００６６】
したがって、コンピュータが前記機能を果たすように動作させるプログラムを、例えばＣＤ−ＲＯＭのような記録媒体に記録し、コンピュータに読み込ませることによって実現できるものである。前記プログラムを記録する記録媒体としては、ＣＤ−ＲＯＭ以外に、フレキシブルディスク、ハードディスク、磁気テープ、光磁気ディスク、不揮発性メモリカード等を用いることができる。
【００６７】
また、コンピュータが供給されたプログラムを実行することにより前述の実施形態の機能が実現されるだけでなく、そのプログラムがコンピュータにおいて稼働しているＯＳ（オペレーティングシステム）あるいは他のアプリケーションソフト等と共同して前述の実施形態の機能が実現される場合や、供給されたプログラムの処理の全てあるいは一部がコンピュータの機能拡張ボードや機能拡張ユニットにより行われて前述の実施形態の機能が実現される場合も、かかるプログラムは本発明の実施形態に含まれる。
【００６８】
また、本発明をネットワーク環境で利用するべく、全部あるいは一部のプログラムが他のコンピュータで実行されるようになっていても良い。例えば、画面入力処理は、遠隔端末コンピュータで行われ、各種判断、ログ記録等は他のセンターコンピュータ等で行われるようにしても良い。
【００６９】
【発明の効果】
以上説明してきたように、本発明によれば、撮影される被写界の光学像を電子像信号に変換して画像を生成する撮像手段と、前記撮像手段によって生成された画像を記憶媒体に記憶させる記憶制御手段と、前記記憶媒体に記憶される画像のうち印刷対象の画像を選択するための操作部と、前記操作部で選択された画像を表示する表示手段と、印刷機能を有する印刷装置と通信して記録用紙の縦横比に関わる情報を取得して、前記表示手段に表示される画像に対して、前記画像の縦横比と、前記印刷装置から取得した記録用紙の縦横比の相違により生じる、前記記録用紙上に印刷されない非印刷領域を認識可能に前記表示手段に表示されている画像の中に表示させる非印刷領域表示手段と、前記操作部への操作により、前記非印刷領域表示手段によって表示された非印刷領域を、前記記録用紙上に印刷されない領域の生じている方向に移動させる非印刷領域移動手段とを撮像装置に設けたので、余白のない（フチ無し）印刷を行う場合に、画像の縦横比と記録用紙の縦横比との相違により印刷されない領域が生じたら、その領域を撮像装置上で表示することができるとともに、その領域を撮像装置側の画像の選択に用いる操作部材により移動することができるようになる。これにより、ユーザーは撮像装置側の操作部材を用いて簡単な操作を行うだけで印刷する画像の選択と、使用者の意図した印刷領域の設定とを行うことができ、操作性と画像確認の利便性の両方を得ることができる。
【００７０】
また、本発明の他の特徴によれば、印刷されない領域が画像の上下に生じる場合と、画像の左右に生じる場合を自動的に判別することができ、その方向にのみ移動可能としたので、十字キー等上下左右任意の方向を指示できる操作部材がない場合でも、上下のみあるいは左右のみの一次元的な指定をすることのできる操作部材があれば印刷領域を指定することができる。
【図面の簡単な説明】
【図１】本発明の実施の形態を示し、記録装置の構成を模式的に示した図である。
【図２】第１の実施の形態の動作を説明するフローチャートである。
【図３】第１の実施の形態の記録用紙の一例を示す図である。
【図４】第１の実施の形態の印刷システムの構成例を示す図である。
【図５】第１の実施の形態の撮像装置の構成例を示すブロック図である。
【図６】第１の実施の形態の画像と印刷領域の関係をカメラ上に表示した（画像の方が縦長）例を示す図である。
【図７】第１の実施の形態の操作による印刷領域の移動を示した（画像の方が縦長）を例を示す図である。
【図８】第１の実施の形態の画像と印刷領域の関係をカメラ上に表示（画像の方が横長）した例を示す図である。
【図９】第１の実施の形態の操作による印刷領域の移動を示した（画像の方が横長）例を示す図である。
【符号の説明】
１  装置本体
２  記録用紙カセット
３  給紙ローラ
４  搬送ローラ対
５  プラテンローラ
６  サーマルヘッド
７  インクカセット
８  インクシート
１０  記録紙先端検出センサ
１２  ミシン目
１３  一時保存画像メモリ手段
１４  印字情報メモリ手段
１５  ガイド部
１６  余白部
１７  印画領域
１８  処理回路
１９  バネ
２０  押上げ板
２２  ヘッドアーム
２３  第１のヘッドカバー
２４  第２のヘッドカバー
２５  記録用紙搬送ガイド部
２６  排紙トレイ部
２７  ケーブル
４２  ピンチローラ
４１  グリップローラ
ＤＣ  デジタルカメラ
【図１】
0003890222.tif 000002
【図２】
0003890222.tif 000003
【図３】
0003890222.tif 000004
【図４】
0003890222.tif 000005
【図５】
0003890222.tif 000006
【図６】
0003890222.tif 000007
【図７】
0003890222.tif 000008
【図８】
0003890222.tif 000009
【図９】
0003890222.tif 000010